(57)【要約】【課題】  設置やメンテナンスが容易なヒートアイランド現象を緩和するための設備を提供することを目的とする。【解決手段】  このため霧を出すための霧放散口が開いたシェル部を備えると共に、このシェル部の後側に、霧発生手段のノズル部を備えていることを特徴とする、気化潜熱による冷却装置とした。この冷却装置はこれまでのように直接空気中に霧を噴射させない。この冷却装置は、いったんシェル部の後側に噴霧させ、その後シェル部の霧放散口からシェル部の表側に噴出させるようにしている。これがシェル部の表側で蒸発して回りの空気から気化潜熱を奪い冷却効果を発揮するのである。また前記霧発生手段が、霧としてのマイクロミストやナノミストなどのドライなミストを発生させるものとすることが出来る。ドライな霧は粒子径がおよそ３０ミクロン以下で極めて細かいためにすぐに蒸発して水滴にはならない霧であって浴びても濡れた感覚のない霧である。【選択図】図１
2010175238.tif 000002
【特許請求の範囲】
【請求項１】
霧発生手段の少なくともノズル部と、該ノズル部を覆うシェル部とを備え、該シェル部には、前記ノズル部から噴射された霧をシェル部の表側に出してシェル部の表側の空気を冷却するための、霧放散口が開設されていることを特徴とする、気化潜熱による冷却装置。
【請求項２】
前記霧発生手段が、霧としてのマイクロミストやナノミストなどのドライなミストを発生させるものである、請求項１に記載の気化潜熱による冷却装置。
【請求項３】
一の前記シェル部に付き少なくとも２方向に噴射する前記ノズル部を備えている、請求項１に記載の気化潜熱による冷却装置。
【請求項４】
前記シェル部が太陽光発電装置または太陽光湯沸器と共に設置されている、請求項１に記載の気化潜熱による冷却装置。
【請求項５】
霧としてのマイクロミストやナノミストなどのドライなミストを発生させるための霧発生手段のノズル部と、該ノズル部から噴射されに霧を送るための配管と、該配管に噴射口を以て接続されたシェル部とから成り、該シェル部には前記配管から送られて来て前記噴射口からシェル部の後側に噴射される霧を、シェル部の表側に出してシェル部の表側の空気を冷却するための霧放散口が開設されていることを特徴とする、気化潜熱による冷却装置。
【請求項６】
一の前記シェル部に付き少なくとも２方向に噴射する前記噴射口を備えている、請求項５に記載の気化潜熱による冷却装置。
【請求項７】
前記シェル部が太陽光発電装置または太陽光湯沸器と共に設置されている、請求項５に記載の気化潜熱による冷却装置。
【発明の詳細な説明】
【技術分野】
【０００１】  本発明は打ち水に代えて霧の散布を行いその気化潜熱を利用して空気を冷却するための冷却装置に関し、特にシェルで覆われたノズルから成る冷却装置であることを特徴とする。
【背景技術】
【０００２】  近年ヒートアイランド現象を緩和するために、建物内の温度低下を屋上緑化や壁面緑化により行おうとする動きが活発である。これまではコンクリートが剥き出しであった屋上に土を敷いて、そこに草花や樹木を植えることを行っていた。これにより室温が２〜３低下すると言われている。この一例として特開２００３−２３５３５５を上げる。或いは壁面にワイヤーフレームを設置してそこに蔦を絡ませることも行われている。確かに自然の力だけで環境の冷却が可能であれば、エアコンによる電力の消費やその室外機からの温熱の大気中への放散がなくなるため、ヒートアイランド現象の緩和に一役買うことは間違いない。
【先行技術文献】
【特許文献】
【０００３】
【特許文献１】特開２００３−２３５３５５「薄層屋上緑化設備」
【非特許文献】
【０００４】
【非特許文献１】  「屋上緑化のＱ＆Ａ」  ２００３年  財団法人都市緑化技術開発機構  特殊緑化共同研究会編  鹿島出版会
【発明の概要】
【発明が解決しようとする課題】
【０００５】  しかしながら、これまでは何も置くことがなかった屋上を緑化するには幾つもの問題点がある。すなわち水捌けが良くて軽量な土壌を作らなくてはならない。耐根・耐水シートを設置しなくてはならない。施肥や水やりを行わなくてはならない。剪定や季節毎の植え替え、枯れ草や落ち葉の処理を定期的に行わなくてはならない。防虫対策を施す必要がある。また植物の植え替えや移動を行うと風の通り方が変化したり植生が変わったり生息する虫の種類が変化したりするため、状況に応じた細やかな手入れが必要になる。【０００６】  従って屋上緑化の施工やメンテナンスに多大の費用が掛かってしまっているのが現状であり、悪くすると手入れを放棄したり元の何もない屋上に戻したりという事態を招くのである。【０００７】  また環境冷却のための緑化を推進したい場所はビルの屋上に限られない。例えば街中の歩道沿い、広場、中庭や、一般家屋の屋根、坪庭等々も緑化によるヒートアイランド現象の緩和の対象となり得る。更にこれまでの屋上緑化設備では対処し切れないニッチな場所も出て来るであろう。【０００８】  また必ずしも「緑化＝庭園」ではないのであるから、緑化に限定されることなく設置やメンテナンスが容易な「ヒートアイランド現象を緩和するための設備」を提供したいものである。そうなればこの設備をありとあらゆる場所に様々な形態で（例えばパティオの板張り、公道に面した外装ルーバー、犬矢来、建築現場の仮設防護壁等々として、オブジェや列柱や手すりやステップなどとして）適用することが可能になる。また設置姿勢も傾斜や垂直を或いは棚式設置や懸垂設置などを可能にしたいものである。【０００９】  従って本発明は上述したような問題を解決して、設置やメンテナンスが容易なヒートアイランド現象を緩和するための装置を提供することを課題とする。
【課題を解決するための手段】
【００１０】  上記課題の解決に先立ち、緑化の大きな効能の一つに気化熱を奪うことによる気温の低下を上げることが出来るが、植物を利用しなくとも水の気化熱による気温の低下の現象を利用して屋上や歩道のための建築・土木設備やオブジェ等を構成することが出来るのではないかと思考した。【００１１】  上記課題は、霧発生手段の少なくともノズル部と、該ノズル部を覆うシェル部とを備え、該シェル部には、前記ノズル部から噴射された霧をシェル部の表側に出してシェル部の表側の空気を冷却するための、霧放散口が開設されていることを特徴とする、気化潜熱による冷却装置とすることにより達成される。本発明の霧発生手段はこれまでのように直接空気中に霧を噴射するものではない。本発明の冷却装置では、いったんシェル部の後側に噴霧させ、それからここでは霧を極力消費しないようにしてシェル部の霧放散口からシェル部の表側に放散するようにしている。これがシェル部の表側で蒸発して回りの空気から気化潜熱を奪い冷却効果を発揮するのである。この状態を見るとシェル部もノズルのように作用していることが了解される。すなわち本発明の冷却装置の全体が霧発生用のヘッドであるものと見做して良い。これにより従来は直接空気中に噴射していた霧と言うものの取り扱いが容易になっている。また見た目には霧放散口が開いたシェル部であるから、これを板状にして敷こうが立てようが、例えば柱やオブジェにして飾ろうが、建築現場の仮設防護壁用パネルとしようが、手すりとして実用に供しようが、どのような形状や形態であっても良い。また例えばシェル部の後側にスペーサなどの脚部を取り付けて設置場所から浮かせるように設置したり、シェル部の後側をノズル部ごとぐるりと覆ってしまう構造としても良い。【００１２】  またシェル部の素材に何を使うかも自由であり、そのシェル部の霧放散口をどのような形態のものにするかも自由である。例えばすのこ様やルーバー様の構造物を用いてシェル部を構成することが可能である。また例えばアルミニウム板やガラス板や木板やコンクリート板に多数の小孔を設けたもの、籐や竹籤を細かく編み上げたもの、玉砂利を敷き詰めたものとすることが出来る。また例えば細かい金属性のメッシュ、目の荒い織布、連続気泡性樹脂等々によってもシェル部を構成し得る。従って本発明で言う霧放散口とはある程度の大きさの開口部のみならず隙間や小孔などを含む概念である。ある意味シェル部にはこの後ろのノズル部を目立たなくしたり目隠しする効果がある。またある意味表側部には噴霧音を緩和する効果がある。また例えば目の大きさが異なる網を幾分距離を空けて設けるなど、霧放散口である網目の部分を二重三重に設けたものとすることが出来る。また噴霧音を減衰させる吸音構造をシェル部に設けたものとすることが出来る。またノズル部を首振りを行わせ得るように構成しても良い。【００１３】  また本発明の冷却装置では、シェル部と霧発生手段のノズル部とを備えていれば良い。霧発生手段は主として加圧水供給部とノズル部とから成る。加圧水供給部には、噴射させるものが一般的な霧であれば、例えば水道を利用することが出来る。この場合には水道の口とノズル部とを配管で繋げば水道の圧力とノズル部とで���が発生する。従って冷却装置はシェル部とノズル部とを備えていれば良いことになる。また噴射させるものが後述するドライなミストであれば、より細かい粒子径とすべく高い圧力が得られる例えば高圧縮ポンプを含む加圧水供給部にノズル部を繋ぐようにする。従ってシェル部とノズル部と加圧水供給部とを備えた冷却装置となるが、この場合でも加圧水供給部を別に用意すれば良いため、シェル部とドライなミスト用のノズル部とを備えた冷却装置として提供することが可能である。なお霧発生手段の加圧水供給部とノズル部との間の距離は配管の長さなどによって調節可能である。なお発生させる霧の量に付いて、配管にバルブを設けて手動でバルブを調整し得るように構成しても良い。或いは自動的に風速、気温、湿度を計測したり降雨を監視するなどして、霧発生手段をフィードバック制御し得るような構成としても良い。またノズル部の目詰りを防止する手段を設けるなどしても良い。或いはクリーニングのためにノズル部を交換出来るように、ノズル部をシェル部に対して着脱自在に設けるようにしても良い。【００１４】  これまで知られている霧散布は、加湿器により乾燥環境に湿潤を加える目的や、ベンチュリ機構により高温環境に気温低下をもたらす目的で行われ、水を人工的に霧状にして空気中に直接的に放出するものである。気温低下に関して、噴霧器で霧を吹くと冷たく感じるのは霧が皮膚に触れたためである他、霧の気化熱によって気温が低下するためでもある。打ち水もこの目的で市井の生活や茶の湯に於いて行われて来たが、水を霧化させてそのまま蒸発させるほうが蒸発が早く効率的であり水の使用量も少なくて済む。ドレインの処理にそれほど気を使わなくても済む（後述するドライなミストを用いる場合では尚更である）。従って本発明は霧を発生させて気温を低下させるものではあるが、特にノズル部からの霧の噴射をシェル部の後側で行わせて、それからシェル部の霧放散口からシェル部の表側に放散させ、シェル部の表側の空気を冷却させるようにしているのが本発明の冷却装置である。シェル部は人目に付く側でありこの霧放散口から霧が放散するように見える。シェル部の周りが霧で覆われているように見せることも可能である。このようにシェル部を備えることにより、従来方式のように空中に直接的に勢い良く噴射するものに付いて、例えばこのある意味で強烈な噴射状態が目に見えるのを好ましくないとする場合や、霧が身体に直接付けられるのが嫌であるような場合があるのであれば、この問題を緩和することが出来るし、噴霧音が気になるような場合があるのであればこの問題の緩和が可能であるし、そして何よりも屋上冷却装置として、或いはそれのみならず広く建築・土木設備やオブジェとしての自由な取り扱いが出来るようになったのは画期的なことである。意匠を凝らせるシェル部を備えていることは素晴しいことである。【００１５】  次に、前記霧発生手段が、霧としてのマイクロミストやナノミストなどのドライなミストを発生させるものとすることが出来る。前記霧発生手段には所謂ウエットな霧を発生させるものとドライな霧を発生させるものとがある。ウエットな霧は物に触れると水滴となり濡れたと言う感覚がある霧である。この霧を利用すると、霧が蒸発する際に回りの空気から気化熱を奪って冷却することが出来る。ドライな霧は粒子径がおよそ３０ミクロン以下で極めて細かいためにすぐに蒸発して水滴にはならない霧であって、浴びても濡れた感覚がない霧である。これはドライフォグ（商願２００８−０６７１４４）ともドライミスト（登録商標）（用語解説：ｈｔｔｐ：／／ｗｗｗ．ｊｓｒａｅ．ｏｒ．ｊｐ／ａｎｎａｉ／ｙｏｕｇｏ／１４９．ｈｔｍｌ）とも呼称される。この分野のパイオニアは上記登録商標の権利者である能美防災株式会社や、辻本誠である。特開２００６−１７７５７５の「降温噴霧システム」が参考になる。このようにドライな霧で濡れたと言う感覚のない霧であるとは言っても、近年広がりを見せ始めた空中に直接的に勢い良く噴霧するものとは異なるものが必要となった場合には、本発明の気化潜熱による冷却装置の利用も一手である。なおドライなミストを発生させるには、水を高圧縮してノズルから噴出させるようにする方式や、所謂２流体ノズルを用いる方式や、２流体ノズルでも２つのノズルの前方で一方のノズルから噴射させた霧に他方のノズルから噴射させた空気を適宜角度でぶつけ合って外部混合させるようにする方式（特開２００５−２９６８７４）などがある。本発明はこれまでに開発されたどのようなタイプのドライなミストの発生装置も利用する可能性を有しているし、また将来開発されるであろうどのようなタイプのドライなミストの発生装置を利用する可能性も有している。そして従来ではこの噴霧そのものがドライなミストの散布（直接空中散布）となっているが、本発明でのドライなミストの散布は、一旦シェル部の後側に噴射した霧を、多数の前記小孔を通して表側に放散させるように、間接的に行われる点に特徴を有している。そして霧放散口よりシェル部の表側に放散された霧はここで蒸発するが、この霧が蒸発した所では気化潜熱が奪われて冷却される。これによってシェル部の表側表面の温度が低下すればある意味シェル部そのものが恰も冷却部材（クーラーの冷却フィンなど）のように見える。なお気温や日射の強さや気温などの条件によってはシェル部の後側でもこの霧が蒸発することがある。【００１６】  次に、一の前記シェル部に付き少なくとも２方向に噴射する前記ノズル部を備えているものとすることが出来る。シェル部の後側（従って表側でも）に於いて霧の偏りが生ずるような場合でも、噴射の方向が異なるノズル部を適切に設けることによって霧の偏りをより少なくすることが可能である。【００１７】  次に、前記シェル部が太陽光発電装置または太陽光湯沸器と共に設置されているものとすることが出来る。強い日差しを受けて働くこれ等の機器の周りの空気を冷却したいとする場合には、これ等の機器と共に本願発明の気化潜熱による冷却装置を設置すると良い。【００１８】  また上記課題は、霧としてのマイクロミストやナノミストなどのドライなミストを発生させるための霧発生手段のノズル部と、該ノズル部から噴射されに霧を送るための配管と、該配管に噴射口を以て接続されたシェル部とから成り、該シェル部には前記配管から送られて来て前記噴射口からシェル部の後側に噴射される霧を、シェル部の表側に出してシェル部の表側の空気を冷却するための霧放散口が開設されていることを特徴とする、気化潜熱による冷却装置とすることにより達成される。配管は霧発生手段のノズル部から噴射された所謂濡れない霧であるドライなミストをシェル部の噴射口まで送るものである。従ってシェル部を霧発生手段から離れた場所に設置することが出来る。また複数の配管を備えたり、分岐する配管を備えたりすることによって、一の霧発生手段から複数のシェル部にドライなミストを送ることが出来る。これは言わばセントラル・クーリングである。このような冷却装置に付いても、請求項１の発明と同様に、噴射口からいったんシェル部の後側に噴霧させ、それからシェル部の霧放散口からシェル部の表側に放散するようにしている。これがシェル部の表側で蒸発して回りの空気から気化潜熱を奪い冷却効果を発揮するのである。なおこのような冷却装置に於いて一の前記シェル部に付き少なくとも２方向に噴射する前記噴射口を備えたものとすることが出来る。また前記シェル部が太陽光発電装置または太陽光湯沸器と共に設置されているものとすることが出来る。
【発明の効果】
【００１９】  本発明を実施することによって、屋上緑化の代替手段を提供することが出来、また緑化に限定されることなく設置やメンテナンスが容易な、ヒートアイランド現象を緩和するための装置を提供することが出来る。またシェル部を備えていることによって例えば屋上や歩道のための建築・土木設備やオブジェとしての取り扱いが出来るようになったのは画期的なことである。従って本願発明の産業に及ぼす経済効果には計り知れないものがある。
【図面の簡単な説明】
【００２０】
【図１】  第１実施形態の冷却装置を断面視した説明図である。
【図２】  設置状態を示す説明図である。
【図３】  第２実施形態の冷却装置を断面視した説明図である。
【図４】  第３実施形態の冷却装置の設置状態を示す説明図である。
【図５】  第４実施形態の冷却装置の設置状態を示す説明図である。
【図６】  第５実施形態の冷却裝置の設置状態を示す説明図である。
【発明を実施するための形態】
【第１実施形態】
【００２１】  図１は本実施形態の冷却装置１を断面視で表したものである。本冷却装置１は図２のように垂直に立てて使用するものであり、通路に沿ってや広場のベンチの傍や街角などに設置することが出来る。ステンレス薄板から成る平たい容器形状のシェル１０の面積の大きな面側の表裏にルーバー１１を設け、シェル１０を立てた時に頂部となる部位の２箇所に噴霧ノズル２を、シェル１０の後側すなわちシェル１０の内側に向けて取り付けて成る。ルーバー１１が設けられた部位にはこれにより開いた孔部１２があり、本実施形態に於ける霧放散口はルーバー１１と孔部１２とから構成されていると言うことが出来る。孔部１２はあるもののルーバー１１によってシェル１０の内部は見えにくくなっている。このような容器をシェルと言うのは、噴霧ノズル２を覆い、霧を作用させる外側の空間と噴霧ノズル２から噴射が起っている容器内部の空間とを隔てるものだからである。本実施形態の噴霧ノズル２と図示しない加圧水供給装置とは、所謂濡れない霧であるドライなミストを発生させるためのものである。
【００２２】  噴霧ノズル２に加圧水供給装置からの配管を接続して加圧水供給装置を作動させると、噴霧ノズル２からはドライなミストが強い勢いで噴射する。この状態の噴霧ノズル２もドライなミストも外部からは普通には見えない。ドライなミストはいったんシェル１０の後側に噴霧され、それからシェル１０のルーバー１１からシェル１０の表側に、外方への噴出力を伴って放散される。この状態を見るとシェル１０もノズルのように作用していることが了解される。すなわち本実施形態の全体が霧発生用のヘッドであるものと見做し得る。このシェル１０の表側に放散されたドライなミストがシェル１０の表側で蒸発して回りの空気から気化潜熱を奪って冷却効果を発揮することになる。ルーバー１１からシェル１０の表側にやや下方に向けて吹き出すドライなミストを図１で雲のように表した。また冷却装置１から離れる方向の多数の矢線によって冷気がシェル１０の周囲に及んで行くことを表した。
【第２実施形態】
【００２３】  図３は本実施形態の冷却装置３を断面視で表したものである。この冷却装置は屋上に設置され、屋上表面の冷却を目的とするものである。シェル３０は次のように形成されている。すなわちステンレス製の薄板の表面にはたくさんの孔部３１が開孔されており、薄板の一部には溝部３３が形成されてここに人工芝４が納められている。また薄板の両側は折り曲げられて脚部３２とされている。人工芝４には前記薄板の孔部３１に合う位置に孔部４０が開孔されている。従って孔部３１と孔部４０とによって、薄板の後側（図１の下方）から人工芝４の表側（図１の上方）に掛けて通霧可能な状態となっている。なお芝葉の基部が格子状に形成されている人工芝であれば孔部４０を設けなくて良い（なおそもそも人工芝４を設けないステンレス薄板のみの構成が可能である）。シェル３０に緑色などの着色を施すようにしても良い。またシェル３０に市販の太陽熱高反射塗料あるいは遮熱塗料を塗布するようにしても良い。
【００２４】  次に一側の脚部３２には、シェル３０の後側（両側の脚部３２の間の空間）に向けて噴霧ノズル２０が取り付けられている。この噴霧ノズル２０と図示しない加圧水供給装置とはドライなミスト（所謂濡れない霧）を発生させるためのものである。このようにして本実施形態の気化潜熱による冷却装置３が構成されている。なおドライなミストを発生させるための噴霧ノズル２０や加圧水供給装置やこれ等の制御装置に関しては既に多くの技術が開示されている。一例として最近の特開２００８−３０４０８６を上げておく。
【００２５】  なお図３で鎖線で表したように噴霧ノズル２０とは噴射方向が異なる噴霧ノズル２０’を他側の脚部３２に設けて、これを図示しない加圧水供給装置に接続する実施例も構成可能である。なお噴霧ノズル２０と噴霧ノズル２０’とは同一線上に位置しないようにずらして設けるようにすると良い。これは噴霧量を多くするためであると共に、両側の脚部３２の間の空間に於ける霧の偏りをより少なくするための構成でもある。或いは噴霧ノズル２０の前方に霧の流れを変えるルーバーなどの方向制御手段を備えるようにしても霧の偏りを少なくすることが可能である。
【００２６】  本実施形態の冷却装置３の屋上面への設置工事に付いては後述する第３実施形態が参考になるが、本実施形態の冷却装置３には建物壁面に沿わせて設置するなどの用途がある。例えば建物壁面に沿わせることで、普通には噴霧ノズル２０も、噴霧ノズル２０から強い勢いで噴射しているドライなミストも見ることが出来ないが、ドライなミストはいったんシェル３０の後側に噴霧され、それからシェル３０の孔部３１，４０を通してシェル３０の表側に放散される。従ってシェル３０と噴霧ノズル２０とは一体でノズルのように作用している。図３で表したような設置形態によれば、このシェル３０の表側上方に放散されたドライなミストがシェル３０の表側上方で蒸発して回りの空気から気化潜熱を奪い冷却効果を発揮することになる。これにより植物緑化の手法を用いずとも同様の或いはそれ以上の効果を得ることが出来る。
【第３実施形態】
【００２７】  図４は本実施形態の冷却装置３’とその設置状態とを平面視で表したものである。本冷却装置３’の殆どの構成は上述した第２実施形態の冷却装置３に倣うものであるが、図４で表したように、１個のシェル３０には人工芝４１を設けた部分と人工芝４１を設けていない部分とが交互に配置され、人工芝４１を設けていないシェル３０の部位には内側に通ずる孔部３１が開孔されているが、人工芝４１を設けたシェル３０の部位には孔部３１が開孔されていない点に特徴を有する。屋上への設置工事に当っては、図４で表したように複数台のシェル３０を並べるようにするが、左右に隣合うシェル３０，３０で人工芝４１のある部分とない部分との配置パターンが逆となるようにしている。このようにして設置されたシェル３０には、その下の屋上面に直接的に日差しを当てないと言う作用もある。
【００２８】  本実施形態のドライなミストの発生手段は加圧水供給装置５と図示しない噴霧ノズル（第２実施形態の噴霧ノズル２０を参照）とから構成されており、各々のシェル３０の噴霧ノズルは配管５０により加圧水供給装置５に接続するようにしている。また加圧水供給装置５は水道管に接続する。そして加圧水供給装置５の内部に備えた図示しない高圧縮ポンプにより高圧の水を配管５０を通じて各々のシェル３０の噴霧ノズルに供給する。高圧縮ポンプや配管５０には振動防止手段を備えるようにしても良い。
【００２９】  なお加圧水供給装置５の前に、不純物の混入が少ない水を加圧水供給装置５に供給するための浄水手段を備えるようにしても良い。また雨水を浄水手段を通して加圧水供給装置５に供給するような設計も可能である。なおシェルの形態によっては加圧水供給装置を表側部の内側に配設する構成も可能である。加圧水供給装置と噴霧ノズルとを一体とする設計も可能である。なお霧の粒子径のより大きな、ドライなミストではない霧（所謂ウエットな霧）を発生させる手段を用いる構成も可能である。ドレイン（水垂れ）を受けるトレイや排水管を設けると良い。ドライなミストではない霧によっても気化潜熱を利用した冷却効果を上げ得る。
【第４実施形態】
【００３０】  図５は本実施形態の冷却装置１’とその設置状態とを示した説明図である。冷却装置１’の構成は上述した第１実施形態の冷却装置１の構成に倣うものである。ホールの吹き抜けの屋根部分には透光性太陽電池６が設置されており、この透光性太陽電池６で発電した後の太陽光がホールに降り注ぐように設計されている。そこでこの透光性太陽電池６の下方にドライなミストを発生する冷却装置１’を懸垂設置するようにした。
【００３１】  このホールの吹き抜けの屋根に透光性太陽電池６を設置する理由は、ホールの明かりを確保する目的であるが、そうすると室温を上昇させてしまう問題がある。そこで発電しつつ明かりを取りつつ冷却しようとしたのであり、全てがエコロジカルな目的のためにあるのである。図５ではホールに太陽光Ｓが降り注いでいる状況が表されているが、冷却装置１’の表側に放散されたドライなミストが冷却装置１’の表側で蒸発して回りの空気から気化潜熱を奪って冷却効果を発揮する。冷却装置１’の周りのドライなミストＭを図５で雲のように表わした。またこのミストＭから下降する矢線によって冷気Ｃがホール下方に及んで行くことを表した。
【００３２】  なお本実施形態では冷却装置１’を透光性太陽電池６と共に用いているが、そうではない一般的な太陽光発電装置の場合であっても、この周辺を冷却しようとする場合には本発明の気化潜熱による冷却装置を用いることが出来る。また太陽光湯沸器と共に設置したものとして提供することも可能である。
【第５実施形態】
【００３３】  図６は本実施形態の冷却装置７とその設置状態とを表した説明図である。本実施形態の特徴は、加圧水供給装置８がドライなミストの噴霧ノズル８０を備えており、冷却装置７には噴射口７２が設けられており、噴霧ノズル８０と噴射口７２との間をドライなミストを送るための配管８１，８２で接続している点にある。これは言わばセントラル・クーリングの実施である。なお配管８１の内部に送風ファンを設けて、ドライなミストの流れを更に加速させることが可能である。
【００３４】  本実施形態の冷却装置７は円筒形状のシェル７０の外周部全面に孔部７１が開孔されたものであり、上述した噴射口７２を備え、配管８２から送られて来たドライなミストを噴射口７２をいったんシェル７０の後側に噴霧し、それからシェル７０の孔部７１を通してシェル７０の表側に放散するものである。また１箇所に設置された加圧水供給装置８からは、配管８１と、複数箇所に設置された冷却装置７へドライなミストを送るための、配管８１より分岐する複数個の配管８２が延設されている。本実施形態の用途は、図４や図５で表した場所での用途以外にも公園の複数箇所のベンチ周りに用いるなど、自由な利用が可能である。
【その他の実施形態】
【００３５】  上述した第２及び第３実施形態では、人工芝を装飾的に用いているが、人工芝以外の人工植物や造花などを用いることが出来る。なお上述したように本発明では緑化に限定されることなく設置やメンテナンスが容易な「ヒートアイランド現象を緩和するための設備」を提供することを課題としている。その上で、設置やメンテナンスが容易な植物であればこれを利用することは可能であり、緑化目的にも十分に貢献し得る。そこで培地を養生するなどして天然芝を用いることも可能である。ドライなミストではないいわゆる濡れる霧を発生するタイプのものでは、シェルに芝のような植物を備える場合には、水滴になる性質を利用して水やりに併用することも可能である。ドライなミストを発生するタイプのものであっても、長期間水やりが不要な天然の苔類を用いるようにすることが可能である。なおノズル部の噴射音を更に減衰させたいとするならば、シェルに連続気泡性のフォーム素材を貼付することも好ましい。
【産業上の利用可能性】
【００３６】  本発明の冷却装置の外形状を具象形状などとして、またトピアリーのようなデフォルメされた形状のものとして、また街角に設置するオブジェとして提供することが出来る。実用的には例えば金網でシェルを作って座部にクッションを置いた椅子やベンチなどとして本発明の冷却装置を広場に設置することが出来る。またシェルを、またはシェルの霧放散口から放散される霧を、ライトアップするための照明手段を備えたものを提供することが出来る。また水タンクを備えて、この水タンクから水を供給する霧発生手段とシェルとを以て可搬型の冷却装置とする構成が可能である。また自動車に本発明の冷却装置を搭載すれば走行中の道路沿いの空気を冷却することが出来、この冷却装置を搭載した自動車が多くなればなるほどヒートアイランド現象緩和の効果が高まるであろう。これ等もまた本発明の権利範囲である。
【符号の説明】
【００３７】  １：冷却装置    １’：冷却装置  １０：シェル        １１：ルーバー
１２：孔部      ２：噴霧ノズル  ２０：噴霧ノズル    ３：冷却装置
３’：冷却装置  ３０：シェル    ３１：孔部          ３２：脚部
３３：溝部          ４：人工芝  ４０：孔部          ４１：人工芝
５：加圧水供給装置  ５０：配管  ６：透光性太陽電池  ７：冷却装置
７０：シェル        ７１：孔部  ７２：噴射口        ８：加圧水供給装置
８０：噴霧ノズル    ８１：配管  ８２：配管
【図１】
2010175238.tif 000003
【図２】
2010175238.tif 000004
【図３】
2010175238.tif 000005
【図４】
2010175238.tif 000006
【図５】
2010175238.tif 000007
【図６】
2010175238.tif 000008